【手続補正書】
【提出日】平成16年4月23日(2004.4.23)
【手続補正１】
【補正対象書類名】明細書
【補正対象項目名】特許請求の範囲
【補正方法】変更
【補正の内容】
【特許請求の範囲】
【請求項１】
受信装置へパケット単位でデータを送信するデータ送信装置であって、
各パケットに重要度を付与する重要度付与手段と、
重要度が付与されたパケットを送信するパケット送信手段と、
前記受信装置におけるパケットの受信状況を受信する受信状況受信手段と、
前記受信装置からの再送要求に応じて、重要度が付与されたパケットを再送するパケット再送手段とを備え、
前記重要度付与手段は、前記受信状況が悪いときには重要度の高いパケットが少なく、前記受信状況が良いときには重要度の高いパケットが多くなるように、重要度の付与方法を切り替えることを特徴とする、データ送信装置。
【請求項２】
前記重要度付与手段は、前記受信状況が所定より悪いときには、前記受信状況が所定より良いときよりも重要度の高いパケットが少なくなるように、重要度の付与方法を切り換えることを特徴とする、請求項１に記載のデータ送信装置。
【請求項３】
前記重要度付与手段は、前記受信状況に含まれる情報が所定の値より大きいときには重要度の高いパケットの割合が少なく、前記受信状況に含まれる情報が前記所定の値より小さいときには重要度の高いパケットの割合が多くなるように、重要度の付与方法を切り替えることを特徴とする、請求項１に記載のデータ送信装置。
【請求項４】
前記受信状況に含まれる情報が、パケットロス率であることを特徴とする、請求項３に記載のデータ送信装置。
【請求項５】
前記重要度付与手段は、動画像符号化データを含むパケットを、画像内符号化したデータを含む画像内符号化パケットと、画像間符号化したデータを含む画像間符号化パケットとに分類し、パケットの種類ごとに定めた重要度の付与方法を、前記受信状況に応じて切り替えることを特徴とする、請求項１に記載のデータ送信装置。
【請求項６】
前記重要度付与手段は、前記受信状況に応じて、
前記画像内符号化パケットに高い重要度を、前記画像間符号化パケットに低い重要度を付与する第１の重要度の付与方法と、
すべてのパケットに高い重要度を付与する第２の重要度の付与方法とを切り替えることを特徴とする、請求項５に記載のデータ送信装置。
【請求項７】
前記重要度付与手段は、前記受信状況に応じて、
前記画像内符号化パケットの一部に高い重要度を、残余のパケットに低い重要度を付与する第１の重要度の付与方法と、
前記画像内符号化パケットに高い重要度を、前記画像間符号化パケットに低い重要度を付与する第２の重要度の付与方法と、
すべてのパケットに高い重要度を付与する第３の重要度の付与方法とを切り替えることを特徴とする、請求項５に記載のデータ送信装置。
【請求項８】
受信装置へパケット単位でデータを送信するデータ送信方法であって、
各パケットに重要度を付与する重要度付与ステップと、
重要度が付与されたパケットを送信するパケット送信ステップと、
前記受信装置におけるパケットの受信状況を受信する受信状況受信ステップと、
前記受信装置からの再送要求に応じて、重要度が付与されたパケットを再送するパケット再送ステップとを備え、
前記重要度付与ステップは、前記受信状況が悪いときには重要度の高いパケットが少なく、前記受信状況が良いときには重要度の高いパケットが多くなるように、重要度の付与方法を切り替えることを特徴とする、データ送信方法。
【請求項９】
前記重要度付与ステップは、前記受信状況が所定より悪いときには、前記受信状況が所定より良いときよりも重要度の高いパケットが少なくなるように、重要度の付与方法を切り換えることを特徴とする、請求項８に記載のデータ送信方法。
【請求項１０】
前記重要度付与ステップは、前記受信状況に含まれる情報が所定の値より大きいときには重要度の高いパケットの割合が少なく、前記受信状況に含まれる情報が前記所定の値より小さいときには重要度の高いパケットの割合が多くなるように、重要度の付与方法を切り替えることを特徴とする、請求項８に記載のデータ送信方法。
【請求項１１】
前記受信状況に含まれる情報が、パケットロス率であることを特徴とする、請求項１０に記載のデータ送信方法。
【請求項１２】
前記重要度付与ステップは、動画像符号化データを含むパケットを、画像内符号化データを含む画像内符号化パケットと、画像間符号化データを含む画像間符号化パケットとに分類し、パケットの種類ごとに定めた重要度の付与方法を、前記受信状況に応じて切り替えることを特徴とする、請求項８に記載のデータ送信方法。
【請求項１３】
前記重要度付与ステップは、前記受信状況に応じて、
前記画像内符号化パケットに高い重要度を、前記画像間符号化パケットに低い重要度を付与する第１の重要度の付与方法と、
すべてのパケットに高い重要度を付与する第２の重要度の付与方法とを切り替えることを特徴とする、請求項１２に記載のデータ送信方法。
【請求項１４】
前記重要度付与ステップは、前記受信状況に応じて、
前記画像内符号化パケットの一部に高い重要度を、残余のパケットに低い重要度を付与する第１の重要度の付与方法と、
前記画像内符号化パケットに高い重要度を、前記画像間符号化パケットに低い重要度を付与する第２の重要度の付与方法と、
すべてのパケットに高い重要度を付与する第３の重要度の付与方法とを切り替えることを特徴とする、請求項１２に記載のデータ送信方法。
【請求項１５】
受信装置へパケット単位でデータを送信するデータ送信方法であって、
各パケットに重要度を付与する重要度付与ステップと、
重要度が付与されたパケットの送信を指示するパケット送信指示ステップと、
前記受信装置におけるパケットの受信状況が受信された後、それを取得する受信状況取得ステップと、
前記受信装置からの再送要求に応じて、重要度が付与されたパケットの再送を指示するパケット再送指示ステップとを備え、
前記重要度付与ステップは、前記受信状況が悪いときには重要度の高いパケットが少なく、前記受信状況が良いときには重要度の高いパケットが多くなるように、重要度の付与方法を切り替えることを特徴とする、データ送信方法。
【手続補正２】
【補正対象書類名】明細書
【補正対象項目名】００１２
【補正方法】変更
【補正の内容】
【００１２】
【課題を解決するための手段および発明の効果】
第１の発明は、受信装置へパケット単位でデータを送信するデータ送信装置であって、各パケットに重要度を付与する重要度付与手段と、重要度が付与されたパケットを送信するパケット送信手段と、受信装置におけるパケットの受信状況を受信する受信状況受信手段と、受信装置からの再送要求に応じて、重要度が付与されたパケットを再送するパケット再送手段とを備え、重要度付与手段は、受信状況が悪いときには重要度の高いパケットが少なく、受信状況が良いときには重要度の高いパケットが多くなるように、重要度の付与方法を切り替えることを特徴とする。


【手続補正３】
【補正対象書類名】明細書
【補正対象項目名】００１３
【補正方法】変更
【補正の内容】
【００１３】
このような第１の発明によれば、重要度の高いパケットは、受信装置におけるパケットの受信状況が悪いときには少なく、受信状況が良いときには多く発生する。このように受信状況に応じて再送されるデータ量を制御することにより、許容された伝送容量の範囲内で効率的にデータ伝送を行うことができる。


【手続補正４】
【補正対象書類名】明細書
【補正対象項目名】００１４
【補正方法】変更
【補正の内容】
【００１４】
第２の発明は、第１の発明において、重要度付与手段は、受信状況が所定より悪いときには、受信状況が所定より良いときよりも重要度の高いパケットが少なくなるように、重要度の付与方法を切り換えることを特徴とする。
第３の発明は、第１の発明において、重要度付与手段は、受信状況に含まれる情報が所定の値より大きいときには重要度の高いパケットの割合が少なく、受信状況に含まれる情報が所定の値より小さいときには重要度の高いパケットの割合が多くなるように、重要度の付与方法を切り替えることを特徴とする。
第４の発明は、第３の発明において、受信状況に含まれる情報が、パケットロス率であることを特徴とする。
【手続補正５】
【補正対象書類名】明細書
【補正対象項目名】００１５
【補正方法】変更
【補正の内容】
【００１５】
このような第４の発明によれば、受信装置におけるパケットの受信状況を表す典型的なパラメータであるパケットロス率を用いて、重要度の付与方法を切り替えることができる。


【手続補正６】
【補正対象書類名】明細書
【補正対象項目名】００１６
【補正方法】変更
【補正の内容】
【００１６】
第５の発明は、第１の発明において、重要度付与手段は、動画像符号化データを含むパケットを、画像内符号化したデータを含む画像内符号化パケットと、画像間符号化したデータを含む画像間符号化パケットとに分類し、パケットの種類ごとに定めた重要度の付与方法を、受信状況に応じて切り替えることを特徴とする。


【手続補正７】
【補正対象書類名】明細書
【補正対象項目名】００１７
【補正方法】変更
【補正の内容】
【００１７】
このような第５の発明によれば、動画像符号化データを伝送する場合に、パケットは、再生画像に及ぼす影響を考慮して２種類に分類され、各パケットの重要度は、受信装置におけるパケットの受信状況とパケットの種類に応じて決定される。このように受信状況に応じて再送されるデータ量を制御することにより、許容された伝送容量の範囲内で効率的にデータ伝送を行い、再生画像の画質劣化を防ぐことができる。


【手続補正８】
【補正対象書類名】明細書
【補正対象項目名】００１８
【補正方法】変更
【補正の内容】
【００１８】
第６の発明は、第５の発明において、重要度付与手段は、受信状況に応じて、画像内符号化パケットに高い重要度を、画像間符号化パケットに低い重要度を付与する第１の重要度の付与方法と、すべてのパケットに高い重要度を付与する第２の重要度の付与方法とを切り替えることを特徴とする。


【手続補正９】
【補正対象書類名】明細書
【補正対象項目名】００１９
【補正方法】変更
【補正の内容】
【００１９】
このような第６の発明によれば、動画像符号化データを伝送する場合に、再生画像に及ぼす影響を考慮してパケットを２種類に分類し、重要度の付与方法を２通りに切り替えることにより、再生画像の画質劣化を防ぐことができる。


【手続補正１０】
【補正対象書類名】明細書
【補正対象項目名】００２０
【補正方法】変更
【補正の内容】
【００２０】
第７の発明は、第５の発明において、重要度付与手段は、受信状況に応じて、画像内符号化パケットの一部に高い重要度を、残余のパケットに低い重要度を付与する第１の重要度の付与方法と、画像内符号化パケットに高い重要度を、画像間符号化パケットに低い重要度を付与する第２の重要度の付与方法と、すべてのパケットに高い重要度を付与する第３の重要度の付与方法とを切り替えることを特徴とする。


【手続補正１１】
【補正対象書類名】明細書
【補正対象項目名】００２１
【補正方法】変更
【補正の内容】
【００２１】
このような第７の発明によれば、動画像符号化データを伝送する場合に、再生画像に及ぼす影響を考慮してパケットを２種類に分類し、重要度の付与方法を３通りに切り替えることにより、再生画像の画質劣化を防ぐことができる。


【手続補正１２】
【補正対象書類名】明細書
【補正対象項目名】００２２
【補正方法】変更
【補正の内容】
【００２２】
第８の発明は、受信装置へパケット単位でデータを送信するデータ送信方法であって、各パケットに重要度を付与する重要度付与ステップと、重要度が付与されたパケットを送信するパケット送信ステップと、受信装置におけるパケットの受信状況を受信する受信状況受信ステップと、受信装置からの再送要求に応じて、重要度が付与されたパケットを再送するパケット再送ステップとを備え、重要度付与ステップは、受信状況が悪いときには重要度の高いパケットが少なく、受信状況が良いときには重要度の高いパケットが多くなるように、重要度の付与方法を切り替えることを特徴とする。


【手続補正１３】
【補正対象書類名】明細書
【補正対象項目名】００２３
【補正方法】変更
【補正の内容】
【００２３】
このような第８の発明によれば、重要度の高いパケットは、受信装置におけるパケットの受信状況が悪いときには少なく、受信状況が良いときには多く発生する。このように受信状況に応じて再送されるデータ量を制御することにより、許容された伝送容量の範囲内で効率的にデータ伝送を行うことができる。


【手続補正１４】
【補正対象書類名】明細書
【補正対象項目名】００２４
【補正方法】変更
【補正の内容】
【００２４】
第９の発明は、第８の発明において、重要度付与ステップは、受信状況が所定より悪いときには、受信状況が所定より良いときよりも重要度の高いパケットが少なくなるように、重要度の付与方法を切り換えることを特徴とする。
第１０の発明は、第８の発明において、重要度付与ステップは、受信状況に含まれる情報が所定の値より大きいときには重要度の高いパケットの割合が少なく、受信状況に含まれる情報が所定の値より小さいときには重要度の高いパケットの割合が多くなるように、重要度の付与方法を切り替えることを特徴とする。
第１１の発明は、第１０の発明において、受信状況に含まれる情報が、パケットロス率であることを特徴とする。
【手続補正１５】
【補正対象書類名】明細書
【補正対象項目名】００２５
【補正方法】変更
【補正の内容】
【００２５】
このような第１１の発明によれば、受信装置におけるパケットの受信状況を表す典型的なパラメータであるパケットロス率を用いて、重要度の付与方法を切り替えることができる。


【手続補正１６】
【補正対象書類名】明細書
【補正対象項目名】００２６
【補正方法】変更
【補正の内容】
【００２６】
第１２の発明は、第８の発明において、重要度付与ステップは、動画像符号化データを含むパケットを、画像内符号化データを含む画像内符号化パケットと、画像間符号化データを含む画像間符号化パケットとに分類し、パケットの種類ごとに定めた重要度の付与方法を、受信状況に応じて切り替えることを特徴とする。


【手続補正１７】
【補正対象書類名】明細書
【補正対象項目名】００２７
【補正方法】変更
【補正の内容】
【００２７】
このような第１２の発明によれば、動画像符号化データを伝送する場合に、パケットは、再生画像に及ぼす影響を考慮して２種類に分類され、各パケットの重要度は、受信装置におけるパケットの受信状況とパケットの種類に応じて決定される。このように受信状況に応じて再送されるデータ量を制御することにより、許容された伝送容量の範囲内で効率的にデータ伝送を行い、再生画像の画質劣化を防ぐことができる。


【手続補正１８】
【補正対象書類名】明細書
【補正対象項目名】００２８
【補正方法】変更
【補正の内容】
【００２８】
第１３の発明は、第１２の発明において、重要度付与ステップは、受信状況に応じて、画像内符号化パケットに高い重要度を、画像間符号化パケットに低い重要度を付与する第１の重要度の付与方法と、すべてのパケットに高い重要度を付与する第２の重要度の付与方法とを切り替えることを特徴とする。


【手続補正１９】
【補正対象書類名】明細書
【補正対象項目名】００２９
【補正方法】変更
【補正の内容】
【００２９】
このような第１３の発明によれば、動画像符号化データを伝送する場合に、再生画像に及ぼす影響を考慮してパケットを２種類に分類し、重要度の付与方法を２通りに切り替えることにより、再生画像の画質劣化を防ぐことができる。


【手続補正２０】
【補正対象書類名】明細書
【補正対象項目名】００３０
【補正方法】変更
【補正の内容】
【００３０】
第１４の発明は、第１２の発明において、重要度付与ステップは、受信状況に応じて、画像内符号化パケットの一部に高い重要度を、残余のパケットに低い重要度を付与する第１の重要度の付与方法と、画像内符号化パケットに高い重要度を、画像間符号化パケットに低い重要度を付与する第２の重要度の付与方法と、すべてのパケットに高い重要度を付与する第３の重要度の付与方法とを切り替えることを特徴とする。


【手続補正２１】
【補正対象書類名】明細書
【補正対象項目名】００３１
【補正方法】変更
【補正の内容】
【００３１】
このような第１４の発明によれば、動画像符号化データを伝送する場合に、再生画像に及ぼす影響を考慮してパケットを２種類に分類し、重要度の付与方法を３通りに切り替えることにより、再生画像の画質劣化を防ぐことができる。
第１５の発明は、受信装置へパケット単位でデータを送信するデータ送信方法であって、各パケットに重要度を付与する重要度付与ステップと、重要度が付与されたパケットの送信を指示するパケット送信指示ステップと、受信装置におけるパケットの受信状況が受信された後、それを取得する受信状況取得ステップと、受信装置からの再送要求に応じて、重要度が付与されたパケットの再送を指示するパケット再送指示ステップとを備え、重要度付与ステップは、受信状況が悪いときには重要度の高いパケットが少なく、受信状況が良いときには重要度の高いパケットが多くなるように、重要度の付与方法を切り替えることを特徴とする。